(57)【特許請求の範囲】
【請求項１】
各々に独自の加入者番号が割り当てられた第１の複数の加入者端末を有する第１のシステムと、全てに対して１つの共通の加入者番号が割り当てられた第２の複数の加入者端末を有する第２のシステムとを有する電気通信ネットワークにおいて呼を選別する方法であって、該方法は、前記第２の複数の加入者端末に割り当てられた前記共通の加入者番号に対する呼の設定要求を受信するステップと、前記第１の複数の加入者端末のうちの１つである第１の加入者端末に割り当てられた、選択された加入者番号に対する呼の設定の試みに続いて前記設定要求が転送されたかどうかを決定するステップと、前記決定するステップにおける肯定的な決定に応答して、前記第２の複数の加入者端末のうちの１つである第２の加入者端末に選択的に通報するステップとを有することを特徴とする方法。
【請求項２】
前記第１のシステムと前記第２のシステムとは統合サービス・デジタル・ネットワーク（ＩＳＤＮ）を介して接続され、前記設定要求はＩＳＤＮ呼設定メッセージを含み、前記決定するステップは、前記呼設定メッセージにおけるデータを読み取ることを含み、前記データは元々の被呼者番号を示している請求項１に記載の方法。
【請求項３】
前記データは、前記呼設定メッセージにおける元々の被呼者番号のフィールドを含む請求項２に記載の方法。
【請求項４】
前記決定するステップは、前記元々の被呼者番号を、前記第２のシステム内に格納されている少なくとも１つの加入者番号と比較することを含む請求項３に記載の方法。
【請求項５】
前記第１のシステムは第１の無線システムを有し、前記第２のシステムは第２の無線システムを有し、前記第１の加入者端末と前記第２の加入者端末とは各々、デュアルモード移動端末の１部分を含み、前記デュアルモード移動端末は前記第１の無線システムおよび前記第２の無線システムの両方において動作可能である請求項１に記載の方法。
【請求項６】
前記第１の無線システムはパーソナル・コミュニケーション・システム（ＰＣＳ）を有し、前記第２の無線システムはコードレス電話システムを有する請求項５に記載の方法。
【請求項７】
前記共通の加入者番号に対する呼の設定を受信する前記ステップの前に、前記第１の複数の加入者端末のうちの１つである第１の加入者端末に割り当てられた、選択された加入者番号に対する呼のための第１の設定要求を受信するステップと、前記第１の加入者端末が前記第１のシステムにおいて動作可能状態かどうかを決定するステップと、前記動作可能状態かどうかを決定する前記ステップにおける否定の決定に応答して、前記第２の複数の加入者端末に割り当てられた前記共通の加入者番号に対する呼のための第２の設定要求を転送するステップとを有し、前記共通の加入者番号に対する呼のための設定要求を受信する前記ステップは前記第２の設定要求を受信することを含み、前記第２の設定要求が転送されたかどうかを決定する前記ステップは、前記第１の加入者端末に割り当てられた前記選択された加入者番号に対する呼設定の試みに続いて前記第２の設定要求が転送されたかどうかを決定することを含む請求項１に記載の方法。
【請求項８】
前記第１のシステムは第１の無線システムを有し、前記第２のシステムは第２の無線システムを有し、前記第１の加入者端末と前記第２の加入者端末との各々は、デュアルモード移動端末の１部分を含み、前記デュアルモード移動端末は前記第１の無線システム及び前記第２の無線システムの両方において動作可能である請求項７に記載の方法。
【請求項９】
前記第１のシステムと前記第２のシステムとは統合サービス・デジタル・ネットワーク（ＩＳＤＮ）を介して接続され、前記第２の設定要求はＩＳＤＮ呼設定メッセージを含み、前記第１の加入者端末に割り当てられた前記選択された加入者番号に対する呼設定の試みに続いて前記第２の設定要求が転送されたかどうかを決定する前記ステップは、前記呼設定メッセージにおけるデータを読み取ることを含み、前記データは元々の被呼者番号を示している請求項８に記載の方法。
【請求項１０】
コントローラ、および、全てに第１の加入者番号が割り当てられた複数の加入者端末とを含むシステムを有する電気通信ネットワークにおいて、
前記コントローラは、前記第１の加入者番号への呼のための呼設定要求を受信し、第２の加入者番号への呼のための呼設定要求に続いて前記呼設定要求が転送されたかどうかを決定し、前記第２の加入者番号への呼設定要求に続いて前記呼設定要求が転送されたという肯定的な決定に応答して、前記複数の加入者端末のうちの選択された加入者端末に選択的に通報することを特徴とする電気通信ネットワーク。
【請求項１１】
前記システムはコードレス電話ネットワークを有する請求項１０に記載の電気通信ネットワーク。
【請求項１２】
前記呼設定要求はＩＳＤＮ呼設定メッセージを有し、前記コントローラは、前記ＩＳＤＮ呼設定メッセージの元々の被呼者番号フィールドを、データベースに格納された少なくとも１つの加入者番号と比較することによって、前記選択された加入者番号に対する呼設定要求に続いて前記呼設定要求が転送されたかどうかを決定する請求項１０に記載の電気通信ネットワーク。
【請求項１３】
前記システムは第１のシステムを有し、前記コントローラは第１のコントローラを有し、前記複数の加入者端末は第１の複数の加入者端末を含み、前記選択された加入者端末は第１の加入者端末を含み、前記ネットワークは更に、第２のコントローラ、および、各々に独自の加入者番号が割り当てられた第２の複数の加入者端末を含む第２のシステムを有し、前記第２の加入者番号は、前記第２の複数の加入者端末に属する第２の加入者端末に割り当てられており、前記第２のコントローラは、前記第２の加入者番号に対する呼のための呼設定要求を受信し、前記第２の加入者端末が前記第２のシステムにおいて動作可能状態でないときには前記第１の加入者番号に対する呼のための呼設定要求を転送する請求項１０に記載の電気通信ネットワーク。
【請求項１４】
前記第１および第２のシステムは統合サービス・デジタルネットワーク（ＩＳＤＮ）を介して接続され、前記第１および第２の加入者番号に対する前記呼設定要求はＩＳＤＮ呼設定メッセージを含み、前記第１のコントローラは、前記第１の加入者番号への呼のための前記呼設定要求のＩＳＤＮ呼設定メッセージの、元々の被呼者番号フィールドを、データベースに含まれる少なくとも１つの加入者番号と比較することによって、前記第２の加入者番号への呼のための呼設定要求に続いて、前記第１の加入者番号への呼のための前記呼設定要求が転送されたかどうかを決定する請求項１３に記載の電気通信ネットワーク。
【請求項１５】
前記第１のシステムは第１の無線システムを有し、前記第２のシステムは第２の無線システムを有し、前記第１の加入者端末と前記第２の加入者端末との各々は、デュアルモード移動端末の１部分を含み、前記デュアルモード移動端末は前記第１の無線システムおよび前記第２の無線システムの両方において動作可能である請求項１３に記載の電気通信ネットワーク。
【請求項１６】
前記第２の無線システムはパーソナル・コミュニケーション・システム（ＰＣＳ）を有し、前記第１の無線システムはコードレス電話システムを有する請求項１５に記載の電気通信ネットワーク。
【発明の詳細な説明】
【０００１】
【発明の属する技術分野】
本発明は、電気通信システムにおいて呼を選別することに関し、特に、複数の加入者端末を有するシステムに割り当てられた共通の加入者番号に対して発せられた呼を選別する方法、および、該方法を実施する電気通信ネットワークに関する。
【０００２】
【従来の技術、および、発明が解決しようとする課題】
無線システム技術の発達によって、システム加入者によって種々のシステムが使用され得るようになった。現在、多くの異なる種類の無線システムが存在するか、或は、概念の段階まで提案されてきた。これらの無線システムの中には、各システム加入者に独自の加入者番号を割り当てられた送受話器を各システム加入者が使用するようなシステムがある。公衆電話網、或は、その他からそのシステムの特定の加入者番号に対して発せられた呼は、そのシステムで受信され、その特定番号を割り当てられた送受話器に向けられる。従来のセルラーおよびＰＣＳシステムは、このタイプのシステムの例である。システムに対して普遍的な番号が割り当てられるようなシステムも存在する。この場合、公衆電話網、或は、その他からそのシステムの普遍的な番号に対して発せられた呼は、そのシステムの全ての動作可能な送受話器に向けられる。複数の送受話器を有する住宅用コードレス電話システムは、この種類のシステムの１例である。
【０００３】
また、無線システム技術の発展によって、システム加入者に種々の新しいサービスを提供するために無線システムが使われ得るようになった。例えば、これらの新しいサービスとは、セルラー／ＰＣＳ住宅用無線ネットワーク（cellular/PCS wireless residential network)の概念を含む。そこでは、システム加入者には、広域セルラー／ＰＣＳシステム(wide area cellular/PCS system）、或は、その加入者の住宅用コードレスシステムの何れかにおいて操作され得る送受話器が割り当てられる。このタイプのネットワークにおいては、典型的には、セルラー／ＰＣＳと住宅用コードレスシステムの各々が公衆電話交換網(public switched telephone network,PSTN)に接続される。
【０００４】
セルラー／ＰＣＳ無線住宅用ネットワークにおいて、加入者は、そのセルラー／ＰＣＳシステムの無線チャンネルを介して呼を発信または受信するために送受話器を使用しながら、そのセルラー／ＰＣＳシステムがカバーする領域のあたりを歩き回るかもしれない。また、加入者は、その加入者の住宅用コードレスシステムがカバーする領域内に入るかもしれず、住宅用コードレスシステムの無線チャンネルを介して呼を発信または受信するかもしれない。加入者が操作する上記の２つのシステムの間の選択は、手動によって、あるいは、ネットワークによって自動的に行われてもよい。例えば、セルラー／ＰＣＳ住宅用システムは、送受話器によって住宅用コードレスシステムの無線チャンネル上で受信される信号強度レベルが、ある閾値レベルより大きくなったときに、セルラー／ＰＣＳ無線チャンネルの無線インターフェース上の通信から、コードレスシステムの無線チャンネル上の通信へと切り換えられるように設計され得る。
【０００５】
典型的なセルラー／ＰＣＳ住宅用システムにおいては、公衆電話交換網（ＰＳＴＮ）内で２つの電話番号が加入者に割り当てられてもよい。１つの電話番号が加入者のセルラー／ＰＣＳ番号に割り当てられ、他の電話番号が住宅用コードレスシステムへのワイヤーライン接続に割り当てられるであろう。セルラー／ＰＣＳ番号に発信される全ての呼は、そのセルラー／ＰＣＳシステムに向けられる。もし、加入者がそのセルラー／ＰＣＳシステム内で送受話器を動作可能な状態で使っているならば、すなわち、登録されているならば、呼はそのセルラー／ＰＣＳシステム内の送受話器に向けられる。もし、加入者がそのセルラー／ＰＣＳシステム内で動作可能な状態でない（登録されていない）ならば、そのセルラー／ＰＣＳ番号に対して発信された呼は、そのセルラー／ＰＣＳシステムによって住宅用コードレス番号に向けられる。住宅用コードレス番号に向けられた呼は、そのコードレスシステムの１または複数の基地局で受信される。それから、コードレスシステムにおいて動作可能な送受話器に通報（alert)される。加入者の送受話器がコードレスシステムにおいて動作可能状態であるならば、その加入者の送受話器に通報されるであろう。もし、そのコードレスシステムにおいて２つ以上の動作可能なコードレス送受話器があるならば、その他の動作可能な送受話器の各々にもまた通報されるであろう。いずれにせよ、そのコードレスシステムにおいて動作可能な送受話器に通報されるときには、その着呼がセルラー／ＰＣＳ番号に対するものか、あるいは、住宅用コードレス番号に対するものかは分からない。
【０００６】
ある場合には、加入者は、セルラー／ＰＣＳ番号が単にビジネス用番号のような１つの目的のためだけに使われ、住宅用コードレス番号が家族用電話番号のような第２の目的のために使われるように望むかもしれない。これらのような場合において、加入者は、住宅用コードレス番号に対する呼が、転送されたビジネス・コールかファミリー・コールかを、送受話器の何れかで応答する前に識別可能であることを望むかもしれない。また、ビジネス・コールが住宅用コードレスシステムによって受信されるときには、できるだけその住宅内の他の人々の邪魔にならないように受信されることが望ましいかもしれない。例えば、加入者は、ビジネス・コールを住宅用コードレスシステムにて受信したときにはデュアルモード送受話器だけに通報されることを望むかもしれない。
【０００７】
特徴的な呼出し音を使うことによって、ビジネス番号への呼と住宅用コードレス番号への呼とを区別することは可能であろう。この解決方法によれば、ビジネス・コールには独自の呼出音あるいはタイミング・シーケンスが割り当てられ得、住宅への呼には別の呼出し音かタイミング・シーケンスが割り当てられ得る。住宅用コードレスシステムにて呼が受信されたときにその場にいた人間は、その呼出音からどの番号が呼ばれていたかが認識できる。この解決方法においては、付加的な電話番号と、住宅用コードレス番号のために回線に接続される、ある種の制御回路が利用される。その付加的な番号への呼と住宅用コードレスシステムへの呼とは、両方とも別々のラインを介して上記の制御回路に向けられるであろう。上記の番号のどちらであっても、呼が上記の制御回路によって受信されたときには、制御回路は住宅用コードレスシステムに対して、被呼者番号に関連した特徴的な呼出音を提供するであろう。セルラー／ＰＣＳ番号と住宅用の番号に特徴的な呼出信号を提供するために、加入者への呼がセルラー／ＰＣＳシステムから転送されたときには、その呼は、直接、住宅用コードレス番号に転送されるのでなく、付加的な電話番号に転送されるであろう。それから、転送されたビジネス・コールは、住宅用コードレスシステムにおいて、住宅用の呼とは異なる呼出音を有するであろう。発明が解決すべき課題しかし、この解決方法では、付加的な電話番号と制御回路とを必要とし、住宅用コードレスシステムにおいて一度に全ての動作可能な送受話器で呼出音が鳴らされることによる騒がしさは防げない。
【０００８】
本発明は、第１のシステム、および、全ての加入者端末に対して普遍的な番号を有する第２のシステムを有する電気通信ネットワークにおいて、第１のシステムから第２のシステムに転送された呼を受信すると、第２のシステムの加入者端末のうち特定の加入者端末のみに選択的に通報する方法、および、該方法を実施する電気通信ネットワークを提供することを目的とする。
【０００９】
更に、本発明は、第１のシステム、および、全ての加入者端末に対して普遍的な番号を有する第２のシステムを有する電気通信ネットワークにおいて、第１のシステムから第２のシステムに転送された呼を受信すると、第２のシステムの加入者端末のうち、元々の被呼者に応じた特定の加入者端末のみに選択的に通報する方法、および、該方法を実施する電気通信ネットワークを提供することを目的とする。
【００１０】
【課題を解決するための手段】
本発明は、第１のシステムと第２のシステムとを有する電気通信ネットワークにおいて呼を選別するための方法と装置を提供する。ここで、第２のシステムは、複数の加入者端末に対して１つの普遍的な電話番号を有する。本発明によって提供される方法および装置において、上記の第２のシステムの普遍的な番号で受信される呼設定メッセージは、上記の呼が元々上記の第１のシステムの個々の電話番号に向けられていて、それから転送されたのか、あるいは、上記の呼が上記の第２のシステムの上記の普遍的な番号に直接向けられていたのかを決定するために選別される。それから、上記の呼は選択的に宛て先を定められ、上記の第２のシステム内で動作可能な加入者端末は、上記の呼が上記の第１のシステムから転送されたか、或は、直接上記の第２のシステムの番号に対して発せられたかどうかに依存して選択的に通報される。
【００１１】
本発明の方法と装置は、上記の第２のシステムの１つの加入者端末の使用者が、上記の呼が元々向けられていた番号に依存してその加入者端末に通報することを許容する。これは、このシステムの普遍的な番号への呼を受信することに応じて、上記の第２のシステムの全ての加入者端末に通報されるときに起こる不都合を防止する。例えば、全ての他の種類の呼を受信するときには全ての加入者端末に通報されることができるが、あるビジネス番号から転送された呼を受信するときには上記の第２のシステムの特定の加入者端末だけに通報することができる。特定の加入者端末をビジネス用に別に取っておくことができ、ビジネス・コールが上記の第２のシステムにおける加入者端末の全ての使用者を煩わせることはないであろう。
【００１２】
本発明の実施の１形態において、上記の方法と装置は、ＰＣＳシステムと住宅用コードレス電話システムを有する電気通信ネットワークにおいて実施される。上記の電気通信ネットワークは、デュアルモード・サービスを提供する。そのデュアルモード・サービスにおいては、加入者は、どちらのシステムにても操作ができるデュアルモード送受話器を使うことによって上記のＰＣＳシステムまたは上記の住宅用コードレス電話システムからサービスを受ける。ＰＣＳシステムと住宅用コードレスシステムは、各々が、公衆電話交換網（ＰＳＴＮ）を実現する統合サービス・デジタル・ネットワーク（ＩＳＤＮ）に接続される。上記のＰＣＳシステムにおいて動作しているとき、加入者は、この加入者に割り当てられた独自のＰＣＳ番号に向けられる呼を受信する。このＰＣＳ番号は、ビジネス番号のような特定の使用のために割り当てられる。上記の住宅用コードレスシステムにおいて動作しているとき、加入者は、上記のコードレスシステムの普遍的な電話番号に向けられる呼を受信する。また、コードレシスステムの番号は、加入者によって、住宅用の番号(residential number)のような特定の目的のために使われてもよい。加入者が上記のＰＣＳシステムにおいて動作可能状態でないとき、この加入者のＰＣＳ番号に対して発せられた呼は転送されて、上記の住宅用コードレスシステムの普遍的な番号に向けられる。上記の住宅用コードレスシステムの普遍的な番号への呼のための呼設定要求が上記の住宅用コードレスシステムにおいて受信されたとき、元々の（最初の）被呼者番号を決定するため、すなわち、上記の呼が何らかの転送の前に元々向けられていた番号を決定するために、公衆電話交換網ＰＳＴＮを介して交換されたデータに含められた情報要素が調べられる。上記のデータが、上記の元々の被呼者番号が上記の加入者のＰＣＳ番号であったことを示すときは、その加入者のデュアルモード送受話器が上記の住宅用のシステムにおいて動作可能状態であるならば、上記の住宅用コードレスシステムはその加入者のデュアルモード送受話器だけに選択的に通報する。上記のデータが、上記の元々の被呼者番号が上記の住宅用コードレスシステムの普遍的な番号であったことを示すならば、上記の住宅用コードレスシステムはこの住宅用コードレスシステムにおいて動作可能な全ての送受話器に通報する。或は、その代わりに、上記の元々の被呼者が上記の住宅用コードレス番号であると決定されたときは、上記の動作可能な送受話器のうちの１つのサブセットだけに通報してもよい。
【００１３】
【発明の実施の形態】
図１は、本発明の実施の１形態による電気通信ネットワーク１００を図示する。ネットワーク１００は、パーソナル・コミュニケーション・システム（ＰＣＳ）１０２、および、コードレス電話システム１０４を有する。パーソナル・コミュニケーション・システムＰＣＳ１０２およびコードレス電話システム１０４の両方が、統合サービス・デジタル公衆電話交換網（ＰＳＴＮ）１１８に接続される。上記の公衆電話交換網ＰＳＴＮ１１８は、固定端末（ＦＴ）１２８のような他の加入者端末を含んでもよい。パーソナル・コミュニケーション・システムＰＣＳ１０２は、ネットワーク管理システム（ＮＭＳ）１０６、オペレーション・マネージメント・システム（ＯＭＳ）１０８、基地局コントローラ（ＢＳＣ）１１０、ベース・トランシーバ・ステーション（ＢＴＳ）１１２、そして、システム・コントローラ１３２を有する。パーソナル・コミュニケーション・システムＰＣＳ１０２のコンポーネント間の相互接続は、当該技術分野において知られているようなものである。システムの使用者は、システム無線チャンネルを介するパーソナル・コミュニケーション・システムＰＣＳ１０２との交信を維持するための送受信装置を使っている間、パーソナル・コミュニケーション・システムＰＣＳ１０２がカバーする領域のあたりを動いてもよい。ベース・トランシーバ・ステーションＢＴＳ１１２の各々は、別々の地理的なカバー・エリア（coverage area)を有する。その範囲内で、パーソナル・コミュニケーション・システムＰＣＳ１０２内で動作している送受信装置とパーソナル・コミュニケーション・システムＰＣＳ１０２との間の無線チャンネル・インターフェースが提供される。図１においては、特定の移動端末（ＭＳ）１２０とデュアルモード電話（ＤＭＴ）１２１における送受信装置が、ベース・トランシーバ・ステーションＢＴＳ１１２のカバー・エリアの範囲内で動作している例が示されている。図１には、ＰＣＳシステム１０２が、３つのベース・トランシーバ・ステーションＢＴＳ１１２と２つの送受信装置ＭＳ１２０およびＤＭＴ１２１を含むように示されているが、もちろん、図示されるより多いか、または、少ない数のベース・トランシーバ・ステーションＢＴＳを含んでもよく、あるいは、図示されるより多いか、または、少ない数の送受信装置を含んでもよい。
【００１４】
コードレス電話システム１０４は、ホーム基地局（ＨＢＳ）１１４および送受話器（ＨＳ）１２２、１２４、および、１２６を有し、ホーム基地局（ＨＢＳ）は、ＲＪ１１接続１１６を介して統合サービス・デジタル公衆電話交換網ＰＳＴＮ１１８に接続される。コードレス電話システム１０４において、システム使用者は、ホーム基地局ＨＢＳ１１４のカバー・エリアの範囲内にあるときは、呼を発信および受信するために送受話器（handset)ＨＳ１２２、１２４、および、１２６を使用してもよい。図１には、コードレス電話システム１０４が唯一つの基地局ＨＢＳ１１４と３つの送受話器（ＨＳ１２２、１２４、１２６）だけを含むように示されているが、もちろん、コードレス電話システム１０４は、２つ以上の基地局を含んでもよく、また、図示されるより多いか、または、少ない数の送受話器を含んでもよい。
【００１５】
図１において示される上記の実施の形態において、ＰＣＳシステム１０２は、１９３０−１９９０MHz のダウンリンク周波数帯、そして、１８５０−１９１０MHz のアップリンク周波数帯においては、「Personal Communications Services Air Interface Specification J-STD-007(PCS1900）」に従って動作してもよい。或は、ＰＣＳシステム１０２は、ＡＭＰＳ，ＧＳＭまたはＵＳ−ＴＤＭＡのようなセルラー規格の１つに従って動作するセルラー型システムを有してもよい。コードレス電話システム１０４は、１９１０−１９３０MHz の免許不要の周波数帯（unlicensed frequency band)においては、the telecommunication industry association's subcommittee TR41.6 for personal wireless telecommunications(PWT)によって制定され、パーソナル無線通信（ＰＷＴ）のために規定されている、ＴＩＡ／ＥＩＡ６６２規格に従って動作してもよい。また、上記の１８５０−１９９０MHz の範囲の他の周波数において動作してもよい。
【００１６】
デュアルモード電話ＤＭＴ１２１は、ＰＣＳシステム１０２において使用するためのＰＣＳモードにおいてでも、或は、コードレス電話システム１０４において使用するためのパーソナル無線通信のためのＰＷＴモードにおいてでも使用され得るデュアルモード電話である。デュアルモード電話ＤＭＴ１２１の使用者は、彼の住居のエリアから離れており、且つ、ＰＣＳシステム１０２のサービスエリアにいるときに電話サービスを受信するためにＰＣＳモードを選ぶことができる。もし、使用者が彼の住居の近くで、そして、ホーム基地局ＨＢＳ１１４のカバー・エリアの範囲内にいるならば、彼は電話サービスを受信するためにＰＷＴモードを選ぶことができる。別の選択肢として、ＰＣＳモードとＰＷＴモードの間の選択は、送信、または、受信される信号の相対的な強度に応じて、或は、他の基準に基づいて、デュアルモード電話ＤＭＴ１２１によって自動的に行われてもよい。
【００１７】
図１の実施の形態においては、パーソナル・コミュニケーション・システムＰＣＳ１０２の移動端末ＭＳ１２０とデュアルモード電話ＤＭＴ１２１には、各々、パーソナル・コミュニケーション・システムＰＣＳ１０２における使用のために統合サービス・デジタル公衆電話交換網ＰＳＴＮ１１８の独自の電話番号が割り当てられる。コードレス電話システム１０４にもまた、統合サービス・デジタル公衆電話交換網ＰＳＴＮ１１８の電話番号が割り当てられる。統合サービス・デジタル公衆電話交換網ＰＳＴＮ１１８の範囲内におけるシグナリングは、「the American National Standards Institute(ANSI)publication Number TI.607-1990, “Integrated Services Digital Network(ISDN)-Layer 3 Signaling Specification for Circuit-Switched Bearer Service for DSS1"(ANSI publication TI.610-1994に規定されたプロトコルへの変更を含む）」に規定された「the digital subscriber signaling system number 1(DSS1)protocol」に従う。
【００１８】
統合サービス・デジタル公衆電話交換網ＰＳＴＮ１１８において受信され、移動端末ＭＳ１２０およびデュアルモード電話ＤＭＴ１２１の電話番号に対して発信された呼設定メッセージはパーソナル・コミュニケーション・システムＰＣＳ１０２に向けられ、それから、パーソナル・コミュニケーション・システムＰＣＳ１０２は移動端末ＭＳ１２０またはデュアルモード電話ＤＭＴ１２１に対して呼設定を開始する。パーソナル・コミュニケーション・システムＰＣＳ１０２内部で受信され、移動端末ＭＳ１２０またはデュアルモード電話ＤＭＴ１２１に割り当てられた電話番号に対して呼設定を要求している呼設定メッセージもまた、移動端末ＭＳ１２０またはデュアルモード電話ＤＭＴ１２１に向けられる。
【００１９】
統合サービス・デジタル公衆電話交換網ＰＳＴＮ１１８において受信された、コードレス電話システム１０４の電話番号宛の呼設定メッセージは、ホーム基地局ＨＢＳ１１４に向けられる。デュアルモード電話ＤＭＴ１２１がパーソナル・コミュニケーション・システムＰＣＳ１０２の範囲内で動作可能でないときは、パーソナル・コミュニケーション・システムＰＣＳ１０２において受信されたデュアルモード電話ＤＭＴ１２１の電話番号宛の呼設定メッセージは、パーソナル・コミュニケーション・システムＰＣＳ１０２によって統合サービス・デジタル公衆電話交換網ＰＳＴＮ１１８を介してコードレス電話システム１０４へ転送され、更に、ホーム基地局ＨＢＳ１１４に向けられる。
【００２０】
呼設定メッセージがホーム基地局ＨＢＳ１１４にて受信されたときは、その呼は、上記の元々の被呼者番号を決定するために選別される。もし、上記の呼設定が元々ホーム基地局ＨＢＳ１１４の電話番号に向けられたものならば、コードレス送受話器１２２、１２４、および、１２６とデュアルモード電話ＤＭＴ１２１とに通報される。もし、上記の呼設定が元々デュアルモード電話ＤＭＴ１２１の電話番号に向けられたものならば、デュアルモード電話ＤＭＴ１２１だけに通報される。こうして、元々デュアルモード電話ＤＭＴ１２１の電話番号に対して発信された呼は、コードレス送受話器１２２、１２４、または、１２６で応答されることもなく、また、これらの送受話器の使用者は、元々デュアルモード電話ＤＭＴ１２１の電話番号に対して発信された呼によって邪魔されないであろう。
【００２１】
本発明は、図１の実施の形態に関して、デュアルモード電話ＤＭＴ１２１がパーソナル・コミュニケーション・システムＰＣＳ１０２において動作可能でないときに、統合サービス・デジタル公衆電話交換網ＰＳＴＮ１１８の固定端末ＦＴ１２８からデュアルモード電話ＤＭＴ１２１のセルラー番号に対して呼が発せられたという呼のシナリオを使って記述され得る。
【００２２】
固定端末ＦＴ１２８の使用者がデュアルモード電話ＤＭＴ１２１の電話番号に対して、この番号をダイヤルすることによって呼を発するとき、ＩＳＤＮ呼設定メッセージが固定端末ＦＴ１２８から統合サービス・デジタル公衆電話交換網ＰＳＴＮ１１８へ送信される。上記のＩＳＤＮメッセージは、発呼者番号フィールドと被呼者番号フィールドとを含む。上記の発呼者番号フィールドは、固定端末ＦＴ１２８のＰＳＴＮ番号に対して設定される。上記の被呼者番号フィールドは、デュアルモード電話ＤＭＴ１２１の電話番号に対して設定される。
【００２３】
統合サービス・デジタル公衆電話網ＰＳＴＮ１１８は、上記のＩＳＤＮメッセージ受信して、それをオペレーション・マネージメント・システムＯＭＳ１０８まで送信する。デュアルモード電話ＤＭＴ１２１がパーソナル・コミュニケーション・システムＰＣＳ１０２において動作可能でないので、上記の呼設定メッセージは統合サービス・デジタル公衆電話交換網ＰＳＴＮ１１８を通してホーム基地局ＨＢＳ１１４の電話番号に自動的に転送される。上記のホーム基地局ＨＢＳ１１４への呼の転送の際に、上記の被呼者番号フィールドはホーム基地局ＨＢＳ１１４の電話番号に設定され、デュアルモード電話ＤＭＴ１２１の電話番号は、上記の呼設定メッセージの元々の（最初の）被呼者番号のためのフィールドへ移される。
【００２４】
図２を参照すると、そこには、図１の実施の形態によるホーム基地局の複数の部分を示す機能ブロック・ダイアグラムが示されている。ホーム基地局ＨＢＳ１１４は、ＨＢＳ受信機（ＨＢＳＲＸ）３００、ＨＢＳ送信機（ＨＢＳＴＸ）３０２、ＨＢＳコントローラ３０４、制御プロセッサ３０６、メモリ３０８、そして、ライン・インターフェース３１０を有する。上記の呼設定メッセージは、ＲＪ１１接続１１６を介してライン・インターフェース３１０によって受信される。それから、上記の呼設定メッセージは、制御装置３０６に転送される。制御プロセッサ３０６は、上記の呼設定メッセージの上記の元々の被呼者番号フィールドを読んで、それを、メモリ３０８においてストアされているデュアルモード電話ＤＭＴ１２１のセルラー電話番号と比較する。元々の被呼者番号のフィールドにおける上記の番号と、デュアルモード電話ＤＭＴ１２１の上記のセルラー電話番号が一致するときは、それから、制御プロセッサ３０６は、メモリ３０８においてデュアルモード電話ＤＭＴ１２１のセルラー電話番号と関係付けられている、デュアルモード電話ＤＭＴ１２１のためのＰＷＴ国際携帯使用者アイデンティティ（PWT international portable user identity,IPUI)番号を決定する。それから、プロセッサ３０６は、ＰＷＴプロトコルに従い、ＨＢＳコントローラ３０４に対する適当なコマンドを生成し、これにより、元々デュアルモード電話ＤＭＴ１２１のセルラー番号に向けられていた呼設定メッセージを受信したことの結果として、デュアルモード電話ＤＭＴ１２１だけに通報される。また、制御プロセッサ３０６は上記の該当するコマンドを生成し、その結果、デュアルモード電話ＤＭＴ１２１の使用者が応答するならばデュアルモード電話ＤＭＴ１２１だけが上記の呼に接続される。
【００２５】
上記の呼設定メッセージの元々の被呼者番号フィールドがデュアルモード電話ＤＭＴ１２１のための上記のセルラー番号と一致しないという呼のシナリオにおいては、コードレス送受話器１２２、１２４、および、１２６とデュアルモード電話ＤＭＴ１２１とに通報される。あるいは、もし、上記の呼設定メッセージの元々の被呼者番号フィールドがデュアルモード電話ＤＭＴ１２１の上記のセルラー番号と一致しないならば、コードレス送受話器１２２、１２４、および、１２６だけに通報してもよい。
【００２６】
呼がデュアルモード電話ＤＭＴ１２１のセルラー番号から転送されたときはデュアルモード電話ＤＭＴ１２１だけに通報されるので、コードレス送受話器１２２、１２４、または、１２６の使用者は、元々デュアルモード電話ＤＭＴ１２１に対して発せられた呼によって邪魔されないであろう。また、デュアルモード電話ＤＭＴ１２１の使用者は、上記の送受話器のうちどちらが鳴るかを観察することによって、ビジネス・コールまたは彼の住居への通常の呼が何時受信されるかを知るであろう。
【００２７】
他の実施の形態においては、上記の元々の被呼者番号のフィールドは、デュアルモード電話ＤＭＴ１２１のセルラー電話番号と比較されるのと同様に、他の１つまたは複数の番号と比較されてもよい。例えば、デュアルモード電話ＤＭＴ１２１の使用者が別の固定ライン・ビジネス番号を有する固定ライン(fixed line)・ビジネス電話を有するならば、上記の固定ライン・ビジネス番号はデュアルモード電話ＤＭＴ１２１のセルラー電話番号と共に、且つ、上記のデュアルモード電話ＤＭＴ１２１のＰＷＴ  ＩＰＵＩに関係付けられてメモリ１０８に格納されてもよい。その場合は、呼が受信されるとき、上記の固定ライン・ビジネス電話の固定ライン・ビジネス番号とデュアルモード電話ＤＭＴ１２１のセルラー電話番号との両者が、上記の元々の被呼者番号フィールドと比較され得、もし、上記の２つの番号のどちらかが上記の元々の被呼者番号であるならば、デュアルモード電話ＤＭＴ１２１だけに通報することができる。
【００２８】
本発明の方法と装置は、現在のところ好適な実施の１形態に関して図示され、説明されたが、ここに示された実施の形態に対しては多数の変更と置き換えがなされ得ること、そして、本発明の精神と特許請求の範囲から逸脱することなく、本発明の他の多数の実施の形態が実現され得ることは当業者には理解されるであろう。
【００２９】
【発明の効果】
本発明によれば、第１のシステム、および、全ての加入者端末に対して普遍的な番号を有する第２のシステムを有する電気通信ネットワークにおいて、第１のシステムから第２のシステムに転送された呼を受信すると、第２のシステムの加入者端末のうち特定の加入者端末のみに選択的に通報され得る。
【００３０】
更に、本発明によれば、第１のシステム、および、全ての加入者端末に対して普遍的な番号を有する第２のシステムを有する電気通信ネットワークにおいて、第１のシステムから第２のシステムに転送された呼を受信すると、第２のシステムの加入者端末のうち、受信した呼の元々の被呼者に応じた特定の加入者端末のみに選択的に通報され得る。
【図面の簡単な説明】
【図１】本発明の実施の１形態による電気通信網を示す図である。
【図２】本発明の実施の１形態によるホーム基地局の複数の部分を示す、機能ブロック図である。
【符号の説明】
１００…電気通信ネットワーク
１０２…パーソナル・コミュニケーション・システム（ＰＣＳ）
１０４…コードレス電話システム
１０６…ネットワーク管理システム（ＮＭＳ）
１０８…オペレーション・マネージメント・システム（ＯＭＳ）
１１０…基地局コントローラ（ＢＳＣ）
１１２…ベース・トランシーバ・ステーション（ＢＴＳ）
１１４…ホーム基地局（ＨＢＳ）
１１６…ＲＪ１１接続
１１８…公衆電話交換網（ＰＳＴＮ）
１２１…デュアルモード電話（ＤＭＴ）
１２２、１２４、１２６…送受話器（ＨＳ）
１３２…システム・コントローラ
３００…ＨＢＳ受信機（ＨＢＳＲＸ）
３０２…ＨＢＳ送信機（ＨＢＳＴＸ）
３０４…ＨＢＳコントローラ
３０６…制御プロセッサ
３０８…メモリ
３１０…ライン・インターフェース
【図１】
0003917238.tif 000002
【図２】
0003917238.tif 000003